(57)【要約】【課題】開口域を形成する切り込み線があってもバリア性が低下しないで、かつ、開封しやすい包装体を得る。【解決手段】内面および外面を有する立体形状の包装体（１）であって、内面が設けられた第一シート部（２）と、外面が設けられた第二シート部（３）とを備え、第一シート部は、剥離層（２２）とその内側にバリア層を含み、第二シート部は、剥離層に剥離可能に貼り合わされた粘着層（３２）とその外側にバリア層とを含み、包装体の少なくとも一面に開口域（４）を有し、第一シート部には内面から粘着層に至るように開口域周縁の内側に第一切り欠き部（４１）を有し、第二シート部には外面から剥離層に至るように開口域周縁の外側に第二切り欠き部（４２）を有し、第二切り欠き部に対し、第一切り欠き部は開口域の内側にずれ、そのずれた開口粘着帯域（５）を有することを特徴とする包装体。【選択図】図１
2020172283.tif 000002
【特許請求の範囲】
【請求項１】
内面および外面を有する立体形状に形成された包装体であって、
前記内面が設けられた第一シート部と、
前記第一シート部に対して前記内面と反対側で前記第一シート部に積層され、かつ、前記外面が設けられた第二シート部とを備え、
前記第一シート部は、剥離層とその内側にバリア層を含み、
前記第二シート部は、前記剥離層に剥離可能に貼り合わされた粘着層とその外側にバリア層とを含み、
包装体の少なくとも一面に開口域を有し、
前記第一シート部には前記内面から前記粘着層に至るように開口域周縁の内側に第一切り欠き部を有し、
前記第二シート部には前記外面から前記剥離層に至るように開口域周縁の外側に第二切り欠き部を有し、
前記第二切り欠き部に対し、前記第一切り欠き部は開口域の内側にずれ、そのずれた開口粘着帯域を有することを特徴とする包装体。
【請求項２】
前記第一切り欠き部、又は前記第二切り欠き部、あるいは両方共が、一部に開いた系で形成されていることを特徴とする請求項１に記載の包装体。
【発明の詳細な説明】
【技術分野】
【０００１】
本発明は、少なくとも一面に開口域を有する包装体に関する。
【背景技術】
【０００２】
内容物を収納可能な包装体が提案されている。例えば、特許文献１では、可撓性包装構造体により形成された包装容器が記載されている。
この可撓性包装構造体では、第一の構造体は感圧接着剤および恒久的積層接着剤を介して第二の構造体と積層されている。第一の構造体を貫通し第二の構造体内に延長しないように第一の切り込み線が設けられている。第二の構造体を貫通し第一の構造体に延長しないように第二の切り込み線が設けられている。第二の切り込み線は、第一の切り込み線から内方に離間している。
この可撓性包装構造体では、第一の切り込み線および第二の切り込み線によって外側構造体と内側構造体とが分離されることで開口が形成される。
外側構造体の周辺領域に配置された感圧接着剤によって外側構造体は内側構造体に再付着することが可能である。
【０００３】
この可撓性包装構造体では、第一の切り込み線と第二の切り込み線によって、外側構造体と内側構造体とが分離されることで開口域が形成される。
この時、バリア性を付与するように、第二の構造体にバリア層を設けた場合、切り込み線によってバリア層が破断し、バリア性が著しく低下してしまう問題が発生していた。
【先行技術文献】
【特許文献】
【０００４】
【特許文献１】特開２０１４−２８６６０号公報
【発明の概要】
【発明が解決しようとする課題】
【０００５】
そこで、開口域を形成する切り込み線があってもバリア性が低下しないで、かつ、開封しやすい包装体を得るのが、本発明の課題である。
【課題を解決するための手段】
【０００６】
本発明の包装体は、
内面および外面を有する立体形状に形成された包装体であって、
前記内面が設けられた第一シート部と、
前記第一シート部に対して前記内面と反対側で前記第一シート部に積層され、かつ、前記外面が設けられた第二シート部とを備え、
前記第一シート部は、剥離層とその内側にバリア層を含み、
前記第二シート部は、前記剥離層に剥離可能に貼り合わされた粘着層とその外側にバリア層とを含み、
包装体の少なくとも一面に開口域を有し、
前記第一シート部には前記内面から前記粘着層に至るように開口域周縁の内側に第一切り欠き部を有し、
前記第二シート部には前記外面から前記剥離層に至るように開口域周縁の外側に第二切り欠き部を有し、
前記第二切り欠き部に対し、前記第一切り欠き部は開口域の内側にずれ、そのずれた開口粘着帯域を有することを特徴とする包装体である。
【発明の効果】
【０００７】
本発明の包装体は、第一シート部と第二シート部とに二重にバリア層を有し、第一切り欠き部と前記第二切り欠き部とがずれた開口粘着帯域を有しているので、第一シート部のバリア層が切断された第一切り欠き部における第二シート部のバリア層によってバリア性が確保され、また、第二シート部のバリア層が切断された第二切り欠き部では第一シート部のバリア層によってバリア性が確保できるので、包装体全体として、バリア性を維持可能な包装体になっている。
【図面の簡単な説明】
【０００８】
【図１】本発明の包装体の第一実施形態例と、その開口域周縁の断面を示す図である。
【図２】本発明の包装体の第一実施形態例において、開口域を開口する状態を示す斜視図と、その開口開始時の縦断面における部分拡大図である。
【図３】本発明の包装体の第二実施形態例において、開口域を開口する状態を示す斜視図である。
【発明を実施するための形態】
【０００９】
以下、本発明の包装体の実施形態例について、図を用いて詳細に説明する。
図１は、本発明の包装体１で、内面および外面を有する立体形状に形成された第一実施形態例と、その開口域周縁の断面を示す図である。
図１−１に示すように、本発明の包装体１は、多層フィルムを使用し、フィルム周縁を融着するなどして、直方体形状、又は三角錐などのような立体形状に加工した包装体である。
包装体１を構成する包装材の構成は、図１−２で示されるように、内面が設けられた第一シート部２と、前記第一シート部２に対して前記内面と反対側で前記第一シート部２に積層され、かつ、前記外面が設けられた第二シート部３と、を備えている。
前記第一シート部２は、シーラント層２１とバリア層２３と剥離層２２とを含み、かつ、前記第二シート部３は、第二基材層３１とバリア層３３と、前記剥離層２２に剥離可能に貼り合わされた粘着層３２を含んでいて、粘着層と剥離層との付着性によって、密着可能としている。この為、開口域は開閉自在になっている。
【００１０】
本発明の包装体１は、その少なくとも一面に開口域４を有している。
図１−２は、その開口域４の断面図である。その開口域４断面に示すように、第一シート部２には内面から前記粘着層３２に至るように開口域４周縁の内側に第一切り欠き部４１を有している。
また、前記第二シート部３には前記外面から前記剥離層２２に至るように開口域４周縁の外側に第二切り欠き部４２を有している。
【００１１】
前記第二切り欠き部４２に対し、前記第一切り欠き部３２は開口域４の内側にずれており、そのずれによって、第一シート部２の剥離層２２の面と第二シート部３の粘着層３２の面とが粘着と剥離を繰り返せる開口粘着帯域５を形成して配置されている。
この開口粘着帯域５によって、開口域４を閉鎖・密閉可能な蓋部４０を形成している。
開口域４周縁の開口粘着帯域５では、蓋部４０を開けた場合、第一シート部２の剥離層２２がむき出しの状態になり、かつ、上記蓋部４０周縁の粘着層３２がむき出しの第二シート部３周縁となる。この為、蓋部４０は、密着・剥離可能となる。
この為、別パーツを使用することなく、開閉可能な形態を得ることができる。
【００１２】
このような蓋部４０は、蓋部４０を形成する第一切り欠き部４１と第二切り欠き部４２は、閉じた系であってもかまわないが、この図１−１のように、開口開始部６の対極など、一部に開いた系で形成されていると、開閉で蓋部４０の位置が完全に包装体１本体より切り離されないので、開口粘着帯域５の蓋４０側と包装体側との位置がずれ難く、安定して開閉が可能になる。
第一切り欠き部４１と第二切り欠き部４２が共に閉じた系の場合、蓋部４０が包装体１本体から外すことができるので、外した場合、再封する時に、正確に第一切り欠き部４１や第二切り欠き部４２の位置に合わせないと、粘着面が乗り上げて、再密閉できない恐れが生じやすい。
この為、少なくとも第二切り欠き部４２は、開いた系であることが望ましい。もちろん、第一切り欠き部４１も第二切り欠き部４２と同じ位置で開いた系であることが好ましい。
【００１３】
図１−２に示すように、第一切り欠き部４１では、切り欠きによる破断は、第一シート部には内面から剥離層２２に至り、第一シート部の第一バリア層２３は破断されるが、切り欠きの先端は粘着層３２までで止まっている。
また、第二切り欠き部４２では、切り欠きによる破断は、第二シート部には外面から粘着層３２に至り、第二シート部の第二バリア層３３は破断されるが、切り欠きの先端は剥離層２２までで止まっている。
この時、第一バリア層２３の破断された第一切り欠き部４１では、第二バリア層があって破断されておらず、また、第二バリア層３３の破断された第二切り欠き部４２では、第一バリア層があって破断されていない。
さらに、第一バリア層２３の破断された第一切り欠き部４１から第二バリア層３３の第二切り欠き部４２までは、厚みに対して開口粘着帯域５の長さは充分に大きな長さを持っている。この為、バリア性は完全に確保される。
【００１４】
図２は本発明の包装体の第一実施形態例において、開口域を開口する状態を示す斜視図と、その開口開始時の縦断面における部分拡大図である。
開口粘着帯域５の内側端部では、第一切り欠き部４１で内面から剥離層２２の第一シート部２が破断し、開口粘着帯域５の外側端部では、第二切り欠き部４２で外面から粘着層３２の第二シート部３が破断している。その間の開口粘着帯域５では、単に粘着層３２と剥離層２２の粘着性によって密着しているだけである。
この為、開口粘着帯域５の外端部である開口開始部５１に爪等を差し込んだり、内側に対して外側を下方に押し下げて変形させるなどすると、粘着層３２と剥離層２２が剥離し、図２−２に示すように、蓋部４０が浮き上がり、開口域４を開くことができる。
【００１５】
図３は、本発明の包装体の第二実施形態例において、開口域を開口する状態を示す斜視図である。
本発明の包装体１は、内面および外面を有する立体形状に形成された包装体１であって、開口部はその一平面であることが望ましいが、開口開始部５１近傍が１平面で、かつ、開口粘着帯域５が主に平面で形成されているのであれば、隣の側面にまたがった開口域を形成して平面の組み合わせとなる開口粘着帯域５を有する包装体１であってもかまわない。この第二実施形態例では前面から上面に渡って開口域４が形成されている。
【００１６】
本発明の包装体に使用される第一フィルムと第二フィルムとの貼り合せ面を構成する層は、粘着層と剥離層で、それらは互いに異なる材料から構成される。
しかしながら、全く異なる素材同士であると、密着性がないので、例えば、ヒートシール性延伸ポリプロピレン／ポリエチレン、ポリプロピレン系イージーピールシーラント／ポリエチレン、エチレン・メタアクリル酸共重合体／ポリエチレンテレフタレート、ポリエチレン系イージーピールシーラント／ポリエチレン、などの組み合わせが使用できる。
ここで、ポリプロピレン系イージーピールシーラントは、プロピレン成分が６０パーセント以上を占める樹脂で、ポリエチレンと密着性と剥離性を併せ持つ組み合わせである。
また、ポリエチレン系イージーピールシーラントは、エチレン成分が６０パーセント以上を占める樹脂で、ポリプロピレンと密着性と剥離性を併せ持つ組み合わせである。
粘着層に使用する粘着剤としては、アクリル系粘着剤やウレタン系粘着剤が良いが、隙間
なく再封鎖しやすいシリコーン系粘着剤であってもよい。このような粘着剤を使用する場合には、剥離層はシリコーン系剥離剤層であっても良いが、ポリエチレン樹脂層などの樹脂層であってもかまわない。
【００１７】
本発明の包装体に使用されるバリア層としては、アルミニウム箔、錫箔などの金属箔や、ポリエチレンテレフタレートやポリアミドなどのフィルムに酸化珪素などの酸化金属やアルミニウムなどの金属を蒸着した蒸着層、エチレン・酢酸ビニル共重合体鹸化物やポリアミドなどのバリアフィルムなども使用することができる。
金属箔を使用すると、遮光性により、内容物の劣化をより防ぐことができる。逆に、酸化金属蒸着を採用すると、透明性により、内容物を確認しながら取り出せるなどのメリットがある。
さらに、バリア性樹脂の塗工を施したバリアコート層も使用できる。例えば、ポリビニリデンやポリビニルアルコール、セルロースナノファイバー、あるいはそれらを含む共重合体や塗工液である。
さらに、これらが積層する時に発泡するのを抑える接着剤層も併せて塗工することが望ましい。
【００１８】
本発明の包装体に使用される第二フィルムの基材層としては、二軸延伸ポリエチレンテレフタレートフィルムや、二軸延伸ポリプロピレンフィルム、二軸延伸ポリアミドフィルム、紙などが使用できる。また、それらに、酸化珪素などの酸化金属などを蒸着したフィルムや、アルミニウムなどの金属を蒸着したバリア性フィルムにすることもできる。
また、ヒートシール延伸ポリプロピレンフィルムや、静電気防止無延伸ポリプロピレンフィルムなどを使用し、ガゼットやマチの端部を融着したりしてリジッド性を持たせた包装体としてもよい。
【００１９】
本発明の包装体に使用される第一フィルムのシーラント層としては、ポリエチレン、無延伸ポリプロピレン、エチレン・プロピレン共重合体、エチレン・酢酸ビニル共重合体、アイオノマー樹脂、エチレン・メタクリル酸共重合体、エチレン・アクリル酸共重合体、エチレン・エチルアクリレート共重合体、エチレン・ブチルアクリレート共重合体などが使用出来る。
【００２０】
以上のことから、実際の構成例としては、外側から、
＜構成例１＞
二軸延伸ポリエチレンテレフタレート（１２〜２５μｍ）・酸化金属蒸着層／粘着層（５〜２０μｍ）／／二軸延伸ポリエチレンテレフタレート（１２〜２５μｍ）・酸化金属蒸着層／低密度ポリエチレン（１０〜５０μｍ）、
＜構成例２＞
（ヒートシール面）ヒートシール性二軸延伸ポリプロピレン（２０〜４０μｍ）／ポリビニリデンコート層／アクリル系粘着剤層（５〜２０μｍ）／／二軸延伸ポリエチレンテレフタレート（１２〜２５μｍ）・酸化金属蒸着層／低密度ポリエチレン（１０〜５０μｍ）、
＜構成例３＞
二軸延伸ポリエチレンテレフタレート（１２〜２５μｍ）・アルミニウム蒸着層／アクリル系粘着剤層（５〜２０μｍ）／／ポリビニルアルコールコート層／二軸延伸ポリエチレンテレフタレート（１２〜２５μｍ）／低密度ポリエチレン（１０〜５０μｍ）、
＜構成例４＞
（ヒートシール面）ヒートシール性二軸延伸ポリプロピレン（２０〜４０μｍ）／エチレン・酢酸ビニル共重合体鹸化物樹脂層（５〜２０μｍ）／ポリアミド樹脂層（１０〜３０μｍ）／ウレタン系粘着剤層（５〜２０μｍ）／／イージーピールシーラント樹脂層（１０〜３０μｍ）／ポリエチレン（１０〜５０μｍ）／酸化金属蒸着層・二軸延伸ポリエチレンテレフタレート（１２〜２５μｍ）／低密度ポリエチレン（１０〜５０μｍ）
＜構成例５＞
紙（５０〜２００ｇ／ｍ２）・カーボンナノファイバー塗工層／二軸延伸ポリエチレンテレフタレート（１２〜２５μｍ）／シリコーン系粘着剤層（５〜２０μｍ）／／二軸延伸ポリエチレンテレフタレート（１２〜２５μｍ）・酸化金属蒸着層／低密度ポリエチレン（１０〜５０μｍ）、
＜構成例６＞
紙（５０〜２００ｇ／ｍ２）／酸化金属蒸着層・二軸延伸ポリエチレンテレフタレート（１２〜２５μｍ）／ウレタン系粘着剤層（５〜２０μｍ）／／二軸延伸ポリエチレンテレフタレート（１２〜２５μｍ）・酸化金属蒸着層／低密度ポリエチレン（１０〜５０μｍ）
＜構成例７＞
紙（５０〜２００ｇ／ｍ２）・カーボンナノファイバー塗工層／二軸延伸ポリエチレンテレフタレート（１２〜２５μｍ）／シリコーン系粘着剤層（５〜２０μｍ）／／二軸延伸ポリエチレンテレフタレート（１２〜２５μｍ）・酸化金属蒸着層／ビニルアルコール塗工層／低密度ポリエチレン（１０〜５０μｍ）、
＜構成例８＞
二軸延伸ポリエチレンテレフタレート（１２〜２５μｍ）・酸化金属蒸着層／ヒートシール性２軸延伸ポリプロピレン樹脂層（３０μｍ）（ヒートシール面）／／二軸延伸ポリエチレンテレフタレート（１２〜２５μｍ）・酸化金属蒸着層／低密度ポリエチレン（３０〜５０μｍ）
＜構成例９＞
（ヒートシール面）ヒートシール性二軸延伸ポリプロピレン（２０〜４０μｍ）／ポリビニリデンコート層／ヒートシール性二軸延伸ポリプロピレン（２０〜４０μｍ）（ヒートシール面）／／低密度ポリエチレン（１０〜３０μｍ）／ポリビニリデンコート層／二軸延伸ポリエチレンテレフタレート（１２〜２５μｍ）／低密度ポリエチレン（３０〜５０μｍ）
＜構成例１０＞
二軸延伸ポリエチレンテレフタレート（１２〜２５μｍ）・酸化金属蒸着層／低密度ポリエチレン（１０〜３０μｍ）／／エチレン・メタアクリル酸共重合体樹脂（１０〜３０μｍ）／二軸延伸ポリエチレンテレフタレート（１２〜２５μｍ）・酸化金属蒸着層／低密度ポリエチレン（３０〜５０μｍ）
＜構成例１１＞
二軸延伸ポリエチレンテレフタレート（１２〜２５μｍ）・酸化金属蒸着層／低密度ポリエチレン（１０〜３０μｍ）／／（ヒートシール面）ヒートシール性二軸延伸ポリプロピレン（２０〜４０μｍ）／ポリビニリデンコート層／低密度ポリエチレン（１０〜５０μｍ）
＜構成例１２＞
二軸延伸ポリエチレンテレフタレート（１２〜２５μｍ）／ポリビニリデンコート層／低密度ポリエチレン（１０〜３０μｍ）／／（ヒートシール面）ヒートシール性二軸延伸ポリプロピレン（２０〜４０μｍ）／ポリビニリデンコート層／低密度ポリエチレン（１０〜５０μｍ）
などが考えられる。
【００２１】
本発明の包装体は以上のようなもので、第一フィルムと第二フィルム、それぞれにバリア層を設けることによって、開口域の切り込みがあっても、バリア性を高く維持可能とする。しかも、後から蓋部を貼り付けるなどの工程なしで、生産性が高く、量産性も高い包装体であり、本発明の包装体のメリットは大きい。
【符号の説明】
【００２２】
１・・・・・・・・包装体
２・・・・・・・・第一シート部
２１・・・・・・・シーラント層
２２・・・・・・・粘着層
２３・・・・・・・第一バリア層
３・・・・・・・・第二シート部
３１・・・・・・・第二基材層
３２・・・・・・・剥離層
３３・・・・・・・第二バリア層
４・・・・・・・・開口域
４０・・・・・・・蓋部
４１・・・・・・・第一切り欠き部
４２・・・・・・・第二切り欠き部
５・・・・・・・・開口粘着帯域
５１・・・・・・・開口開始部
【図１】
2020172283.tif 000003
【図２】
2020172283.tif 000004
【図３】
2020172283.tif 000005